(57)【特許請求の範囲】
【請求項１】
開口部の屋外側に配された外側サッシと、前記開口部の屋内側に配された内側サッシとを有する二重サッシを具えた建物の開口部構造であって、
前記外側サッシと内側サッシとの間の空間に、サッシ面と交差する向きの網面を有した網戸が設けられており、
前記外側サッシ及び前記内側サッシは、それぞれ引違い窓を構成するとともに、前記網戸は、サッシ幅の中間位置に設けられていることを特徴とする建物の開口部構造。
【請求項２】
開口部の屋外側に配された外側サッシと、前記開口部の屋内側に配された内側サッシとを有する二重サッシを具えた建物の開口部構造であって、
前記外側サッシと内側サッシとの間の空間に、サッシ面と交差する向きの網面を有した網戸が設けられており、
前記網戸の網面は、前記サッシ面と直交することを特徴とする建物の開口部構造。
【請求項３】
前記網戸の網面は、前記サッシ面と直交する請求項１記載の建物の開口部構造。
【請求項４】
開口部の屋外側に配された外側サッシと、前記開口部の屋内側に配された内側サッシとを有する二重サッシを具えた建物の開口部構造であって、
前記外側サッシと前記内側サッシとの間の空間に、サッシ面と交差する向きの網面を有した網戸が設けられており、
前記網戸は、一対の縦框を有する額縁と、この額縁が囲む空間に配された前記網面を構成する網材とを含み、
前記縦框の一方が、前記内側サッシ又は前記外側サッシの一方に垂直軸周りに揺動可能に取り付けられることにより、前記網戸は、前記網面をサッシ面と平行とする収納位置と、前記網面を前記サッシ面と直交する向きとする使用位置との間で揺動することを特徴とする建物の開口部構造。
【請求項５】
前記縦框の他方には、前記内側サッシ又は前記外側サッシの他方に接して弾性変形するタイト材が設けられている請求項４記載の建物の開口部構造。
【請求項６】
前記網戸の収納位置を固定する固定手段が前記網戸及び／又は前記内側サッシ又は前記外側サッシの一方に設けられる請求項４又は５に記載の建物の開口部構造。
【請求項７】
前記外側サッシは、前記開口部の幅方向の一方側に設けた戸先錠で施錠可能であり、前記内側サッシは、前記開口部の幅方向の他方側に設けた戸先錠で施錠可能である請求項１乃至６のいずれかに記載の建物の開口部構造。
【発明の詳細な説明】
【技術分野】
【０００１】
本発明は、建物の開口部構造に関し、詳しくは二重サッシを有した開口部において、網戸による建物の景観悪化等を防止しうる技術に関する。
【背景技術】
【０００２】
図６には、建物の開口部ａの横断面図が示される。従来、建物の開口部ａには、サッシ窓ｂ、ｂが設けられる。このサッシ窓ｂ、ｂには、換気や通風を目的として、網戸ｃが設けられることが多い。この網戸ｃは、サッシ面ｓと実質的に平行にかつサッシ窓ｂの外側ｓ１に設けられている。
【発明の概要】
【発明が解決しようとする課題】
【０００３】
しかしながら、上述のような網戸ｃは、風雨に曝される結果、汚損しやすく、建物の景観を損ねるという問題があった。
【０００４】
本発明は、以上のような問題点に鑑み案出なされたもので、二重サッシを構成する外側サッシと内側サッシとの間の空間に、サッシ面と交差する向きの網面を有した網戸を設けることを基本として、景観を損ねることがない建物の開口部構造を提供することを主たる目的としている。
【課題を解決するための手段】
【０００５】
本発明のうち請求項１記載の発明は、開口部の屋外側に配された外側サッシと、前記開口部の屋内側に配された内側サッシとを有する二重サッシを具えた建物の開口部構造であって、前記外側サッシと内側サッシとの間の空間に、サッシ面と交差する向きの網面を有した網戸が設けられており、前記外側サッシ及び前記内側サッシは、それぞれ引違い窓を構成するとともに、前記網戸は、サッシ幅の中間位置に設けられていることを特徴とする。
【０００６】
また、請求項２記載の発明は、開口部の屋外側に配された外側サッシと、前記開口部の屋内側に配された内側サッシとを有する二重サッシを具えた建物の開口部構造であって、前記外側サッシと内側サッシとの間の空間に、サッシ面と交差する向きの網面を有した網戸が設けられており、前記網戸の網面は、前記サッシ面と直交することを特徴とする。
【０００７】
また、請求項３記載の発明は、前記網戸の網面は、前記サッシ面と直交する請求項１記載の建物の開口部構造である。
【０００８】
また、請求項４記載の発明は、開口部の屋外側に配された外側サッシと、前記開口部の屋内側に配された内側サッシとを有する二重サッシを具えた建物の開口部構造であって、前記外側サッシと前記内側サッシとの間の空間に、サッシ面と交差する向きの網面を有した網戸が設けられており、前記網戸は、一対の縦框を有する額縁と、この額縁が囲む空間に配された前記網面を構成する網材とを含み、前記縦框の一方が、前記内側サッシ又は前記外側サッシの一方に垂直軸周りに揺動可能に取り付けられることにより、前記網戸は、前記網面をサッシ面と平行とする収納位置と、前記網面を前記サッシ面と直交する向きとする使用位置との間で揺動することを特徴とする。
【０００９】
また、請求項５記載の発明は、前記縦框の他方には、前記内側サッシ又は前記外側サッシの他方に接して弾性変形するタイト材が設けられている請求項４記載の建物の開口部構造である。
【００１０】
また、請求項６記載の発明は、前記網戸の収納位置を固定する固定手段が前記網戸及び／又は前記内側サッシ又は前記外側サッシの一方に設けられる請求項４又は５に記載の建物の開口部構造である。
【００１１】
また、請求項７記載の発明は、前記外側サッシは、前記開口部の幅方向の一方側に設けた戸先錠で施錠可能であり、前記内側サッシは、前記開口部の幅方向の他方側に設けた戸先錠で施錠可能である請求項１乃至６のいずれかに記載の建物の開口部構造である。
【発明の効果】
【００１２】
請求項１に記載の発明によれば、開口部の屋外側に配された外側サッシと、開口部の屋内側に配された内側サッシとを有する二重サッシを具えた建物の開口部構造において、外側サッシと内側サッシとの間の空間に、サッシ面と交差する向きの網面を有した網戸が設けられる。
【００１３】
このような網戸は、外側サッシの外側に配されないため、風雨に曝されることがなく、汚損が防止される。また、網面がサッシ面と交差する向きに配されるため、屋外側からも視認され難いため、建物の景観を向上しうる。さらに、網面がサッシ面と交差する向きに配されるため、虫等の侵入を防ぎつつ、外気を屈曲させて取り込むことができ、外気の勢いを効果的に抑えうる。
【００１４】
また、請求項２記載の発明によれば、二重サッシは、外側サッシ及び内側サッシがともに引違い窓を構成するとともに、網戸は、サッシ幅の中間位置に設けられる。このような網戸は、屋外側からの視認性がより一層低下し、建物の景観をさらに向上しうる。
【００１５】
また、請求項３記載の発明によれば、網戸の網面は、前記サッシ面と直交するため、網戸の屋外側からの視認性がより一層低下し、建物の景観をさらに向上しうる。
【００１６】
また、請求項４記載の発明によれば、網戸は、一対の縦框を有する額縁と、この額縁が囲む空間に配され網面を構成する網材とを含み、縦框の一方が、内側サッシ又は外側サッシの一方に垂直軸周りに揺動可能に取り付けられることにより、網戸は、網面をサッシ面と平行とする収納位置と、網面をサッシ面と交差する向きとする使用位置との間で揺動することができる。このような網戸は、折り畳んで収納できるため、掃除やメンテナンス時等において、使い勝手が向上する。
【００１７】
また、請求項５記載の発明によれば、縦框の他方には、内側サッシ又は外側サッシの他方に接して弾性変形するタイト材が設けられる。このような網戸は、内側サッシ又は外側サッシとの間の隙間から、虫等が進入するのをより確実に防止できる。
【００１８】
また、請求項６記載の発明によれば、前記網戸の収納位置を固定する固定手段が前記網戸及び／又は前記内側サッシ又は前記外側サッシの一方に設けられる。このような網戸によれば、網戸の不使用時の収納位置において、安定して保持されるため、使い勝手が向上する。
【００１９】
また、請求項７記載の発明によれば、前記外側サッシは、開口部の幅方向の一方側に設けた戸先錠で施錠可能であり、前記内側サッシは、開口部の幅方向の他方側に設けた戸先錠で施錠可能であることにより、優れた防犯性を発揮しうる。
【図面の簡単な説明】
【００２０】
【図１】本実施形態の建物の開口部構造を示す縦断面図である。
【図２】建物の開口部構造の横断面図である。
【図３】外側サッシ及び内側サッシをスライドさせた建物の開口部構造を示す横断面図である。
【図４】（ａ）は使用位置の網戸を示す横断面図、（ｂ）は収納位置の網戸を示す横断面図である。
【図５】網戸及び第２外側サッシを示す部分斜視図である。
【図６】従来の建築の開口部構造を示す横断面図である。
【発明を実施するための形態】
【００２１】
以下、本発明の実施の一形態が図面に基づき説明される。
図１及び図２に示されるように、本実施形態の建物の開口部構造（以下、単に「開口部構造」ということがある）１は、例えば、一般的な住宅やビル等の建物の開口部２に用いられる。この開口部構造１は、開口部２の屋外側Ｓ１に配された外側サッシ３Ａと、開口部２の屋内側Ｓ２に配された内側サッシ３Ｂとを有する二重サッシ３を具える。
【００２２】
前記各サッシ３Ａ、３Ｂは、開口部２に固着されるサッシ枠４によって、該開口部２の幅方向にスライド可能に保持される。このサッシ枠４は、開口部２の上縁に配される上枠４ａと、下縁に配される下枠４ｂと、幅方向の両縁に配される一対の側枠４ｃ、４ｃとを含んで構成される。
【００２３】
前記上枠４ａには、その屋外側Ｓ１で下方に突出し、かつ開口部２の幅方向に連続してのびる一対の外側上レール部６ａ、６ａと、該外側上レール部６ａ、６ａよりも屋内側Ｓ２に離間した位置で下方に突出し、かつ幅方向に連続してのびる一対の内側上レール部７ａ、７ａとが設けられる。
【００２４】
また、前記下枠４ｂには、屋外側Ｓ１で上方に突出する一対の外側下レール部６ｂ、６ｂと、該外側下レール部６ｂ、６ｂよりも屋内側Ｓ２に離間した位置で上方に突出する一対の内側下レール部７ｂ、７ｂとが設けられる。
【００２５】
本実施形態の外側サッシ３Ａは、屋外側Ｓ１に配される第１外側サッシ３Ａａと、該第１外側サッシ３Ａａよりも屋内側Ｓ２に配される第２外側サッシ３Ａｂとを含む。これらの各外側サッシ３Ａａ、３Ａｂは、開口部２の幅方向の最大長さＬ１が、サッシ幅Ｌ２の略半分の大きさに設定され、引違い窓として構成される。ここで、サッシ幅Ｌ２とは、サッシ枠４の幅方向の長さとする。
【００２６】
前記第１外側サッシ３Ａａ及び第２外側サッシ３Ａｂは、矩形に枠組みされた枠材９と、この枠材９が囲む空間に、互いに離間して嵌め込まれる一対のガラス板Ｇ、Ｇとを含んで構成される。この枠材９は、各外側サッシ３Ａａ、３Ａｂの上縁側に配される上框９ａ、下縁側に配される下框９ｂ、及び側縁側に配されかつ上框９ａと下框９ｂとの間を上下にのびる一対の縦框９ｃ、９ｃを含んで構成される。
【００２７】
前記上框９ａには、その上端から下方へ凹み、かつ前記上枠４ａの外側上レール部６ａに嵌め込まれる上レール溝１０ａが設けられる。また、下框９ｂには、回転自在に支持され、かつ下枠４ｂの外側下レール部６ｂの上端を転動する戸車１０ｂとが設けられる。
【００２８】
このような第１外側サッシ３Ａａ及び第２外側サッシ３Ａｂは、それらの上レール溝１０ａ及び戸車１０ｂが、サッシ枠４の外側上レール部６ａ、６ａ及び外側下レール部６ｂ、６ｂに案内され、開口部２の幅方向へスライド可能に保持される。
【００２９】
本実施形態の内側サッシ３Ｂは、外側サッシ３Ａと同様に、屋外側Ｓ１に配される第１内側サッシ３Ｂａと、該第１内側サッシ３Ｂａよりも屋内側Ｓ２に配される第２内側サッシ３Ｂｂとを含み、引違い窓として構成される。
【００３０】
前記第１内側サッシ３Ｂａ及び前記第２内側サッシ３Ｂｂは、上框１１ａと、下框１１ｂと、一対の縦框１１ｃ、１１ｃとを有する枠材１１、及びこの枠材１１に互いに離間して嵌め込まれる一対のガラス板Ｇ、Ｇを含む。
【００３１】
前記上框１１ａには、前記上枠４ａの内側上レール部７ａが嵌め込まれる上レール溝１２ａが設けられる。また、前記下框１１ｂには、前記下枠４ｂの内側下レール部７ｂの上端を転動する戸車１２ｂが設けられる。
【００３２】
このような第１内側サッシ３Ｂａ及び第２内側サッシ３Ｂｂは、それらの上レール溝１２ａ及び戸車１２ｂが、サッシ枠４の内側上レール部７ａ、７ａ及び内側下レール部７ｂ、７ｂに案内され、開口部２の幅方向にスライド可能に保持される。
【００３３】
そして、本実施形態の開口部構造１には、外側サッシ３Ａと内側サッシ３Ｂとの間の空間Ｄに、該外側サッシ３Ａのサッシ面３Ａｓ及び該内側サッシ３Ｂのサッシ面３Ｂｓと交差する向きの網面１５ｓを有した網戸１５が設けられる。
【００３４】
前記網戸１５は、上框１６ａと、下框１６ｂと、一対の縦框１６ｃ、１６ｃとを有する額縁１６、及びこの額縁１６が囲む空間に配されかつ前記網面１５ｓを構成する網材１７を含む。本実施形態では、網戸１５が、第２外側サッシ３Ａｂと第１内側サッシ３Ｂａとの間、かつサッシ幅Ｌ２の中間位置に配置される。また、網戸１５は、その上縁及び下縁が、サッシ枠４の上枠４ａ及び下枠４ｂにそれぞれ固着される。
【００３５】
図３に示されるように、開口部構造１は、例えば、第２外側サッシ３Ａｂを一方側（第１外側サッシ３Ａａ側）にスライドさせ、かつ第１内側サッシ３Ｂａを、他方側（第２内側サッシ３Ｂｂ側）にスライドさせることにより、網戸１５が虫等の侵入を防ぎつつ、外気Ｗをクランク状に屈曲させて取り込むことができ、外気Ｗの勢いを効果的に抑えうる。
【００３６】
また、網戸１５は、外側サッシ３Ａと内側サッシ３Ｂとの間の空間Ｄに配されるため、風雨に直接曝されることがなく、汚損が防止される。さらに、網戸１５は、その網面１５ｓがサッシ面３Ａｓ、３Ｂｓと交差する向きに配されるため、屋外側Ｓ１からも視認され難く、建物の景観を向上しうる。しかも、本実施形態では、網戸１５が、サッシ幅Ｌ２の中間位置に設けられるため、屋外側Ｓ１からの視認性がより一層低下し、建物の景観を向上させることができる。
【００３７】
前記網戸１５の網面１５ｓは、サッシ面３Ａｓ、３Ｂｓと直交するのが望ましい。これにより、網戸１５は、屋外側Ｓ１からの視認性がより一層低下するため、さらに建物の景観を向上しうる。
【００３８】
また、開口部構造１には、第１外側サッシ３Ａａに、開口部２の幅方向の一方側で施錠可能な戸先錠１９ａが設けられるとともに、第２内側サッシ３Ｂｂに、開口部２の幅方向の他方側で施錠可能な戸先錠１９ｂが設けられるのが望ましい。
【００３９】
これにより、開口部構造１は、第１外側サッシ３Ａａ及び第２内側サッシ３Ｂｂが施錠されることにより、図３のように第２外側サッシ３Ａｂ及び第１内側サッシ３Ｂａをスライドして開口させても、外部からの侵入を防ぐことができ、優れた防犯性を発揮しうる。なお、戸先錠１９ａ、１９ｂは、例えば、第２外側サッシ３Ａｂや第１内側サッシ３Ｂａに設けられても良いのは言うまでもない。
【００４０】
図４及び図５には、本発明の他の実施形態の開口部構造１が示される。
この実施形態では、網戸１５の網面１５ｓをサッシ面３Ａｓ、３Ｂｓと交差する向きとする使用位置Ｐ１（図４（ａ）に示す）と、網面１５ｓをサッシ面３Ａｓ、３Ｂｓと平行とする収納位置Ｐ２（図４（ｂ）に示す）との間で、網戸１５を揺動させる揺動手段２１、網戸１５の収納位置Ｐ２を固定する固定手段２２、及び内側サッシ３Ｂに接して弾性変形するタイト材２３が設けられる。
【００４１】
本実施形態の揺動手段２１は、一対の羽根部２１ａ、２１ｂと、該一対の羽根部２１ａ、２１ｂを垂直軸周りに回転自在に支持する軸部２１ｃとを有する丁番２１Ａからなる。この揺動手段２１は、一方の羽根部２１ａが、網戸１５の縦框１６ｃの一方に固着され、かつ他方の羽根部２１ｂが、第２外側サッシ３Ａｂの縦框９ｃに固着される。
【００４２】
このような網戸１５は、第２外側サッシ３Ａｂに、垂直軸周りに揺動可能に取り付けられるため、前記使用位置Ｐ１と前記収納位置Ｐ２との間で揺動できる。これにより、網戸１５は、折り畳んで収納できるため、例えば、掃除やメンテナンス時等において、使い勝手が向上する。
【００４３】
本実施形態の固定手段２２は、縦長矩形の板状に形成されたマグネットからなり、網戸１５の縦框１６ｃの他方、及び第２外側サッシ３Ａｂの縦框９ｃにそれぞれ配置される。このような固定手段２２、２２は、収納位置Ｐ２において当接し、磁力によって連結される。
【００４４】
これにより、網戸１５は、網戸１５の不使用時の前記収納位置Ｐ２において、第２外側サッシ３Ａｂに安定して保持されるため、使い勝手がさらに向上しうる。なお、このような固定手段２２、２２は、網戸１５及び第２外側サッシ３Ａｂの上下方向に、複数個設けられるのが望ましい。これにより、網戸１５は、より安定して保持される。
【００４５】
本実施形態の固定手段２２、２２は、網戸１５及び第２外側サッシ３Ａｂに設けられるものが例示されたが、例えば、網戸１５の縦框１６ｃ又は第２外側サッシ３Ａｂの縦框９ｃがスチール等からなる場合、網戸１５又は第２外側サッシ３Ａｂのいずれか一方のみ配されてもよい。また、固定手段２２、２２としては、マグネットに限定されるわけではなく、例えば面ファスナ等も採用することができる。
【００４６】
前記タイト材２３は、例えば、弾性変形可能なゴム材からなり、網戸１５の縦框１６ｃの端部１６ｃｔから厚さを漸減させながら先細状にのびる。また、タイト材２３は、網戸１５の縦框１６ｃの上下方向に亘って連続して配置される。
【００４７】
このようなタイト材２３は、網戸１５の前記使用位置Ｐ１において、その先端側が、第１内側サッシ３Ｂａに接して弾性変形することにより、網戸１５と第１内側サッシ３Ｂａとの間に、隙間が形成されるのを抑制でき、虫等の侵入を確実に防止できる。
【００４８】
この実施形態では、網戸１５が、第２外側サッシ３Ａｂに固着されたものが例示されたが、例えば、第１内側サッシ３Ｂａに固着されてもよいのは言うまでもない。この場合、揺動手段２１及び固定手段２２は、網戸１５及び第１内側サッシ３Ｂａに配置されるのが望ましく、また、タイト材２３は、前記使用位置Ｐ１において、第２外側サッシ３Ａｂに当接するのが望ましい。
【００４９】
以上、本発明の特に好ましい実施形態について詳述したが、本発明は図示の実施形態に限定されることなく、種々の態様に変形して実施しうる。
【符号の説明】
【００５０】
１      建物の開口部構造
２      開口部
３Ａ    外側サッシ
３Ｂ    内側サッシ
１５      網戸
【図１】
0005848949.tif 000002
【図２】
0005848949.tif 000003
【図３】
0005848949.tif 000004
【図４】
0005848949.tif 000005
【図５】
0005848949.tif 000006
【図６】
0005848949.tif 000007